(57)【特許請求の範囲】
【請求項１】
合成樹脂フイルムを後側フイルムが前側フイルムより長くなるようにして折曲した後、両横を所定の幅に溶断して後側フイルムが突出した袋体を形成すると共に、後側フイルムの前側フイルムより突出した部分の両端に溶断刃で切り込み（５）を入れて袖片（３）を形成し、さらに蓋片（２）及び袖片（３）の内側面に粘着剤（４）を塗布し、袋本体（１）の端を表側に向けて三角に折り曲げてから蓋片（２）を閉じ、さらに袖片（３）を袋本体（１）の裏側に向けて折って袋本体（１）に接着するようにしたことを特徴とする包装用袋。
【請求項２】
合成樹脂製フイルムが、外側面に剥離性処理剤をコーティングし、蓋片（２）及び袖片（３）が袋本体（１）に軟接着するようにしたものであることを特徴とする請求項１記載の包装用袋。
【請求項３】
袋本体（１）が、底部をガゼット折りにした角底自立袋であることを特徴とする請求項１又は２記載の包装用袋。
【発明の詳細な説明】
【０００１】
【発明の属する技術分野】
この発明は、一般にノントレイパッケージと呼ばれるフイルム製の袋であり、従来より使用されているスチロール製のトレイやＰＥＴ樹脂からなるパッケージに代わり使用されるものである。
【０００２】
【従来の技術】
スーパーマーケットやデパート等で販売されている青果物等はスチロール製のトレイやＰＥＴ樹脂からなるパッケージに入れられて販売されている。
【０００３】
近年ゴミの減量化の問題より、包材重量の少ない薄い合成樹脂製フイルムからなる包装用袋が前記従来のパッケージに代わり徐々に使用されるようになってきている。
【０００４】
この包装用袋は、ロール状の合成樹脂フイルムを流れ方向に沿って半折した後、折目を内側に折り込んで、流れ方向に直角な断面がＷ形になるように形成し、サイドウェルダーによって両横を輪郭に沿って溶断したものであり、後側シートにより形成された蓋片は、開口部と同一幅であり、その内側面には粘着剤が塗布されていた。そして、包装用袋の開口部は、蓋片を粘着剤により前側シートに接着し、閉じるようにしたものであった。
【０００５】
しかしながら、前記従来の包装用袋では、開口部の両端がフイルムの弾力により膨らんだり、蓋片を貼り付ける位置のズレにより、両端部分に少し隙間が開くため、開口部をきっちり封することができないという問題点があった。
【０００６】
さらに、開封は、カットテープ等でフイルムを切断することにより行われるので、開口部を再封できず、被包装物を使い残した場合の保存に使用できないという問題点があった。
【０００７】
【発明が解決しようとする課題】
そこでこの発明では、上記の問題点を解決し、開口部をきっちり封することができるようにした包装用袋を提供することを目的とする。
【０００８】
また前記の目的に加え、開口部を再封できるようにし、被包装物を使い残した場合の保存にも使用できるようにした包装用袋を提供することを目的とする。
【０００９】
【課題を解決するための手段】
そのため、この発明では、合成樹脂フイルムを後側フイルムが前側フイルムより長くなるようにして折曲した後、両横を所定の幅に溶断して後側フイルムが突出した袋体を形成すると共に、後側フイルムの前側フイルムより突出した部分の両端に溶断刃で切り込み５を入れて袖片３を形成し、さらに蓋片２及び袖片３の内側面に粘着剤４を塗布し、袋本体１の端を表側に向けて三角に折り曲げてから蓋片２を閉じ、さらに袖片３を袋本体１の裏側に向けて折って袋本体１に接着するようにしたものとした。
【００１０】
このようにすれば、隙間が開きやすい袋本体１の開口部の両端部分をきっちりと封することができるだけでなく、裁断屑を少なくすることができるようになる。
【００１１】
請求項２に記載のように、前記合成樹脂製フイルムを、外側面に剥離性処理剤をコーティングし、蓋片２及び袖片３が袋本体１に軟接着するようにしたものとすることが好ましい。
【００１２】
このようにすれば、蓋片２及び袖片３を何度でも袋本体１に貼ったり剥がすことができるようになり、開封しても再封可能となる。
【００１３】
請求項３に記載のように、袋本体１が、底部をガゼット折りにした角底自立袋であることが好ましい。
【００１４】
このようにすれば、店頭に並べたときの外観が良くなるだけでなく、収納状態も良くなる。
【００１５】
【発明の実施の形態】
図１は、この発明の包装用袋の第１参考例を示す正面図であり、図２は開口部を開けて立てた状態の斜視図である。
【００１６】
この包装用袋は、ロール状の合成樹脂フイルムを流れ方向に沿って後側フイルムが前側フイルムより長くなるように半折した後、折目を内側に折り込んで、流れ方向に直角な断面がＷ形になるように形成し、サイドウェルダーによって両横を輪郭に沿って溶断した角底袋であり、この参考例では底部両端を斜めにカットし、船底形状としている。
【００１７】
使用する合成樹脂フイルムとしては、ＣＰＰフイルム（未延伸ポリプロピレンフイルム）、ＯＮｙ（２軸延伸ナイロンフイルム）等の熱溶着可能なものより適宜選択可能であるが、透明性が良く一般的に使用されているＯＰＰフイルム（２軸延伸ポリプロピレンフイルム）を選択することが好ましい。さらに、合成樹脂フイルムの外側面には剥離性処理剤をコーティングしてある。
【００１８】
使用する剥離性処理剤としては、一般に市販されているものより選択されるが、コーティングする量は後述する粘着剤により適度な粘着強度が得ることができる程度とする。
【００１９】
このようにして形成されたこの発明の包装用袋は、底部をガゼット折りにした角底自立袋となった袋本体１と、袋本体１の開口部の後側より延設された蓋片２と、蓋片２の両脇から連設された袖片３からなる包装用袋となり、袖片３は、袋本体１の左右端より突出している。
【００２０】
さらに、蓋片２及び袖片３の内側面には、上端から少し間隔をあけて帯状に粘着剤４が塗布されている。上端部の粘着剤４が塗布されていない部分は、蓋片２及び袖片３を剥がすときに端を掴みやすくするために設けてある。
【００２１】
尚、図示していないが、使用前は、剥離シートを粘着剤４の部分に貼っておくこともできる。
【００２２】
このように構成されたこの発明の包装用袋は、袋本体１の開口部より野菜や果物等の被包装物を入れ、蓋片２で開口部を閉じる。さらに、袖片３を裏側に折り返す。すると、図３に示すようになり、開口部が完全に閉じる。袖片３がない場合は、開口部の両端がフイルムの弾力により膨らんだり、蓋片２の貼り付け位置がずれることにより、開口部の端に少し隙間が開くが、袖片３で覆っているので、その隙間は完全に塞がれるようになる。
【００２３】
さらに完全に開口部を閉じる場合は、図４に示すように、袋本体１の端を裏側に向けて三角に折り曲げてから袖片３を本体に接着して閉じることができる。
【００２４】
さらに、完全に開口部を閉じる場合は、蓋片２で開口部を閉じてから、さらに蓋片２の幅で開口部を２度折り、さらに袋本体１の端を裏側に向けて三角に折り曲げてから袖片３を本体に接着して閉じることができる。
【００２５】
開封するときは、フイルムの外側面に剥離性処理剤がコーティングしてあり、蓋片２及び袖片３と袋本体１とが軟接着状態となっているので、容易に開封できるだけでなく、再封可能となっている。
【００２６】
林檎等の重量のあるものを収納する場合は、袋本体１の底面にボール紙を入れ、底面にかかる重量を分散させて重量に耐えられるようにして使用することもできる。
【００２７】
以上が第１参考例の説明であり、次に図５及び図６に基づき第２参考例の説明をする。
【００２８】
第２参考例の包装用袋は、第１参考例のように底部両端を斜めにカットせず、真っ直ぐにカットし、さらに自立しやすくした例である。
【００２９】
このようにして形成されたこの発明の包装用袋は、底部をガゼット折りにした角底自立袋となった袋本体１と、袋本体１の開口部の後側より延設された蓋片２と、蓋片２の両脇から連設された袖片３からなる包装用袋となり、袖片３は、袋本体１の左右より突出している。
【００３０】
さらに、蓋片２及び袖片３の内側面には帯状に粘着剤４が塗布されている。
【００３１】
このように、この包装用袋の上部の構成は前記第１参考例と同一であり、開口部の閉じかたも同一であるので、以下の説明を省略する。
【００３２】
次に、図７〜図９に基づき本願発明の実施例について説明する。
【００３３】
この実施例の包装用袋は、第２参考例と同様に底部両端を斜めにカットせず、真っ直ぐにカットすると共に、第２参考例の蓋片２に相当する部分の両端に溶断刃で切り込みを入れて袖片３を形成した例である。
【００３４】
以下に具体的に説明する。
【００３５】
この実施例の包装用袋は、ロール状の合成樹脂フイルムを流れ方向に沿って後側フイルムが前側フイルムより長くなるように半折した後、折目を内側に折り込んで、流れ方向に直角な断面がＷ形になるように形成し、サイドウェルダーによって両横を真っ直ぐに溶断して後側フイルムが突出した袋体を形成すると共に後側フイルムの前側フイルムより突出した部分の両端に、図５に示すように、溶断刃で切り込み５を入れて袖片３を形成している。
【００３６】
袖片３は、溶断刃で切り込み５を入れることにより形成されているので、切り込み５を入れた部分からさらに裂けないようになっている。
【００３７】
このようにして形成されたこの発明の包装用袋は、図８に示すように、底部をガゼット折りにした角底自立袋となった袋本体１と、袋本体１の開口部の後側より延設された蓋片２と、蓋片２の両脇に連設された袖片３からなる包装用袋となる。
【００３８】
合成樹脂フイルムの材料、剥離性処理剤、粘着剤については、前記参考例と同一であるので、以下の説明を省略する。
【００３９】
このように構成されたこの発明の包装用袋は、裁断屑がでず、材料となる合成樹脂フイルムの無駄がない。
【００４０】
この包装用袋を使用する場合は、袋本体１の開口部より被包装物を入れ、図９に示すように、袋本体１の端を表側に向けて三角に折り曲げてから蓋片２を閉じ、さらに袖片３を袋本体１の裏側に向けて折って袋本体１に接着して閉じる。
【００４１】
【発明の効果】
この発明の包装用袋では、上述のように蓋片２の両脇に袖片３を連設しており、隙間が開きやすい袋本体１の開口部の両端部分をきっちりと封することができるので、衛生的なものとなる。
【００４２】
しかも、袖片３を形成するために必要な裁断屑が無くなり、材料となる合成樹脂フイルムのムダがなくなる。また、切り込みは溶断刃で行われるため、切り込み部分から合成樹脂フイルムが裂けることがない使いやすいものとなる。
【００４３】
また、請求項２に記載のように、合成樹脂製フイルムの外側面に剥離性処理剤をコーティングし、蓋片２及び袖片３が袋本体１に軟接着するようにすれば、何度か開封しても再封可能となるので、被包装物の使い残しを保存する場合にもそのまま使用でき、便利なものとなる。
【００４４】
さらに、請求項３に記載のように、袋本体１を、底部をガゼット折りにした角底自立袋とすれば、店頭に並べたときの外観が良くなるだけでなく、収納状態も良くなるので、使いやすい便利なものとなる。
【図面の簡単な説明】
【図１】包装用袋の第１参考例の正面図である。
【図２】第１参考例の開口部を開けて立てた状態を示す斜視図である。
【図３】第１参考例の開口部を閉じたときの状態を示す斜視図である。
【図４】第１参考例の開口部を閉じたときの状態を示す斜視図である。
【図５】包装用袋の第２参考例を示す正面図である。
【図６】第２参考例の開口部を開けて立てた状態を示す斜視図である。
【図７】この発明の包装用袋の実施例を示す正面図である。
【図８】この発明の実施例である包装用袋の開口部を開けて立てた状態を示す斜視図である。
【図９】この発明の実施例の包装用袋の開口部を閉じたときの状態を示す斜視図である。
【符号の説明】
１ 袋本体
２ 蓋片
３ 袖片
４ 粘着剤
５ 切り込み
【図１】
0004441819.tif 000002
【図２】
0004441819.tif 000003
【図３】
0004441819.tif 000004
【図４】
0004441819.tif 000005
【図５】
0004441819.tif 000006
【図６】
0004441819.tif 000007
【図７】
0004441819.tif 000008
【図８】
0004441819.tif 000009
【図９】
0004441819.tif 000010